(57)【要約】【課題】進行方向の視認性を向上して利便性を向上する方向指示装置を提供する。【解決手段】ユーザの頭部に装着されるフレーム１１と、フレーム１１により保持してユーザの視界上に配される透明部材１５と、ユーザの頭部の向きを検知する方位センサ１８と、ユーザの目的地までの経路情報を受信する第１通信部１７と、フレーム１１に配して透明部材１５に複数の照射パターンで光を照射する発光部１９と、を備え、方位センサ１８の結果及び経路情報に基づいて発光部１９による所定の照射パターンの照射によりユーザの進行方向を案内した。【選択図】図３
2013217817.tif 000002
【特許請求の範囲】
【請求項１】
ユーザの頭部に装着されるフレームと、
前記フレームにより保持してユーザの視界上に配される透明部材と、
ユーザの頭部の向きを検知する方位センサと、
ユーザの目的地までの経路情報を受信する第１通信部と、
前記フレームに配して前記透明部材に複数の照射パターンで光を照射する発光部と、
を備え、
前記方位センサの検知結果及び前記経路情報に基づいて前記発光部による所定の照射パターンの照射によりユーザの進行方向を案内したことを特徴とする方向指示装置。
【請求項２】
前記発光部が複数のＬＥＤから成り、前記ＬＥＤの点灯によって前記透明部材上に複数のドットからなる照射パターンを形成したことを特徴とする請求項１に記載の方向指示装置。
【請求項３】
第１通信部と通信を行う第２通信部と、ユーザの現在位置を検出する位置検出部と、ユーザの目的地を入力する操作部と、前記経路情報を導出する経路探索部と、を有する情報端末装置を備え、第２通信部により前記経路情報を送信することを特徴とする請求項１又は２に記載の方向指示装置。
【請求項４】
第２通信部を介して地図情報を取得することを特徴とする請求項３に記載の方向指示装置。
【請求項５】
音声により報知を行う報知部を備え、ユーザの前記進行方向を前記報知部により案内したことを特徴とする請求項１〜４のいずれかに記載の方向指示装置。
【発明の詳細な説明】
【技術分野】
【０００１】
本発明はユーザの進行方向を案内する方向指示装置に関する。
【背景技術】
【０００２】
特許文献１には従来の方向指示装置が開示される。方向指示装置は装着部及び情報端末装置を有する。装着部はユーザの頭部に装着可能な眼鏡型のフレームを有し、フレームには方位センサ、受信部及び発光部が設けられる。
【０００３】
フレームはユーザの目の前に配される透明部材を支持する本体部と、ユーザの耳に掛けられる耳掛け部とを有している。方位センサはユーザが装着部を装着した際の顔の向いている方位を検出する。受信部は情報端末装置からユーザの目的地までの経路情報を受信する。発光部はＬＥＤから成り、透明部材の周囲の本体部に並設される。
【０００４】
情報端末装置は平面視矩形状に形成され、操作部、表示部、送信部、位置検出部及び経路探索部を備える。操作部はユーザからの入力を受け付け、タッチパネルにより形成される。
【０００５】
表示部は地図や情報端末装置の操作画面などを表示する。送信部は受信部と無線通信を行う。位置検出部はＧＰＳを用いて情報端末装置の現在位置を取得する。経路探索部はユーザの目的地までの経路情報を探索する。
【０００６】
上記構成の方向指示装置において、情報端末装置の操作部により目的地が設定されると、位置検出部によりユーザの現在位置が取得される。経路探索部は現在位置からユーザの目的地までの経路を探索する。情報端末装置による経路の探索が終了すると、装着部は情報端末装置から経路情報を取得する。
【０００７】
そして、方位センサの検知結果及び経路情報から発光部が所定のパターンにより発光して目的地に向かうユーザの進行方向を案内する。例えば、進行方向が右方向の場合には本体の右側に配されたＬＥＤが発光してユーザを案内する。
【先行技術文献】
【特許文献】
【０００８】
【特許文献１】特開２００５−６９７５９号公報
【発明の概要】
【発明が解決しようとする課題】
【０００９】
しかしながら、上記従来の方向指示装置によれば、透明部材の周囲の本体部に設けられた発光部の一部が進行方向に応じて発光する。このため、ユーザの目から離れた位置で発光部が点灯するため、案内される進行方向の視認性が悪く方向指示装置の利便性が低下するという問題がある。
【００１０】
本発明は、進行方向の視認性を向上して利便性を向上する方向指示装置を提供することを目的とする。
【課題を解決するための手段】
【００１１】
上記目的を達成するため、本発明の方向指示装置は、ユーザの頭部に装着されるフレームと、前記フレームにより保持してユーザの視界上に配される透明部材と、ユーザの頭部の向きを検知する方位センサと、ユーザの目的地までの経路情報を受信する第１通信部と、前記フレームに配して前記透明部材に複数の照射パターンで光を照射する発光部と、を備え、前記方位センサの検知結果及び前記経路情報に基づいて前記発光部による所定の照射パターンの照射によりユーザの進行方向を案内したことを特徴とする。
【００１２】
この構成によると、ユーザの頭部の向き及び目的地までの経路情報に基づいて発光部による所定の照射パターンを透明部材に照射して進行方向が案内される。例えば、進行方向が右の場合には右側へ案内する照射パターンが透明部材上に照射される。
【００１３】
また本発明は、上記構成の方向指示装置において、前記発光部が複数のＬＥＤから成り、前記ＬＥＤの点灯によって前記透明部材上に複数のドットからなる照射パターンを形成したことを特徴とする。
【００１４】
また本発明は、上記構成の方向指示装置において、第１通信部と通信を行う第２通信部と、ユーザの現在位置を検出する位置検出部と、ユーザの目的地を入力する操作部と、前記経路情報を導出する経路探索部と、を有する情報端末装置を備え、第２通信部により前記経路情報を送信することを特徴とする。
【００１５】
この構成によると、ユーザによる操作部の操作によって目的地が入力される、位置検出部で検出される現在位置から目的地までの経路が経路探索部により探索される。経路探索部で導出された目的地までの経路情報は第２通信部から第１通信部に送信される。
【００１６】
また本発明は、上記構成の方向指示装置において、第２通信部を介して地図情報を取得することを特徴とする。
【００１７】
また本発明は、上記構成の方向指示装置において、音声により報知を行う報知部を備え、ユーザの前記進行方向を前記報知部により案内したことを特徴とする。
【発明の効果】
【００１８】
本発明によると、ユーザの視界上に配した透明部材上に発光部により所定の照射パターンを照射してユーザの進行方向を案内したので、進行方向を容易に視認することができ、方向指示装置の利便性を向上することができる。
【図面の簡単な説明】
【００１９】
【図１】本発明の実施形態の方向指示装置、データベースを示す概略図
【図２】本発明の実施形態の方向指示装置の情報端末装置の機能ブロック図
【図３】本発明の実施形態の方向指示装置の装着部を示す斜視図
【図４】本発明の実施形態の方向指示装置の装着部を示す側面断面図
【図５】本発明の実施形態の方向指示装置の装着部の機能ブロック図
【図６】本発明の実施形態の方向指示装置の動作を示すフローチャート
【図７】本発明の実施形態の方向指示装置の装着部の視界を示す図
【図８】本発明の実施形態の方向指示装置の装着部の視界を示す図
【図９】本発明の実施形態の方向指示装置の装着部の要部
【図１０】本発明の実施形態の方向指示装置の装着部の要部
【図１１】本発明の実施形態の方向指示装置の装着部の要部
【図１２】本発明の実施形態の方向指示装置の装着部の要部
【図１３】本発明の実施形態の方向指示装置の装着部の要部
【図１４】本発明の実施形態の方向指示装置の装着部の要部
【発明を実施するための形態】
【００２０】
以下に本発明の実施形態について図面を参照して説明する。図１は一実施形態の方向指示装置１を示している。
【００２１】
方向指示装置１は情報端末装置２０及び装着部１０を有する。情報端末装置２０は平面視略矩形に形成される。図２は情報端末装置２０の機能ブロック図を示す。情報端末装置２０は各部を制御する制御部２７が設けられる。制御部２７には表示部２１、通信部（第２通信部）２２、操作部２３、報知部２４、記憶部２８、位置検出部２５及び経路探索部２６が接続される。
【００２２】
表示部２１は地図や情報端末装置２０の操作画面などを表示する。通信部２２は後述する装着部１０及びデータベース５０と無線通信を行う。データベース５０は情報端末装置２０と通信を行い、地図情報を供給する。なお、データベース５０を情報端末装置２０内に設けてもよい。
【００２３】
操作部２３はプッシュボタンなどにより形成され、ユーザからの入力を受け付ける。報知部２４はスピーカ（不図示）を介して音声により報知を行う。記憶部２８はＲＯＭやＲＡＭによって形成され所定のプログラムを記憶する。
【００２４】
位置検出部２５はＧＰＳを用いて情報端末装置２０の現在位置を取得する。経路探索部２６はユーザの目的地までの経路を探索する。
【００２５】
図３、図４は装着部１０の斜視図、側面断面図を示す。装着部１０はユーザの頭部に装着可能な眼鏡型のフレーム１１、透明部材１５、発光部１９、通信部（第１通信部）１７（図５参照）及び方位センサ１８（図５参照）を有している。
【００２６】
フレーム１１は樹脂成形品から成り、前面部１２、上面部１３及び耳掛け部１４を有している。前面部１２は左右方向の中央部の下端に鼻当て部１２ａを有し、ユーザの視界上に配される一対の透明部材１５を支持する。透明部材１５を度数入りのレンズにより形成してもよい。耳掛け部１４は前面部１２の左右端から後方に延び、ユーザの耳に掛けられる。
【００２７】
上面部１３は前面部１２の上端から後方に屈曲して形成される。上面部１３の下面１３ａには左右一対の発光部１９が取り付けられる。各発光部１９は前後に３列、左右に４列の複数のＬＥＤ１９ａを有し、各ＬＥＤ１９ａは出射面を透明部材１５の方向に向けて傾斜して配置される。
【００２８】
ＬＥＤ１４ａを点灯すると矢印Ｄに示すように透明部材１５上に光が照射される。図１４はＬＥＤ１９ａをすべて点灯した場合を示しており、透明部材１５上には縦方向に３点、横方向に４点のマトリクス状に配列されたドット状の光が照射される。後述するように、所定のＬＥＤ１９ａを点灯することにより、透明部材１５上複数の照射パターンで光を照射することができる。
【００２９】
図５は装着部１０の機能ブロック図を示す。装着部１０は各部を制御する制御部１６を有している。制御部１６には発光部１９、通信部１７及び方位センサ１８が接続される。発光部１９は制御部１６の指示により所定の照射パターンを形成する。通信部（第１通信部）１７は情報端末装置２０の通信部（第２通信部）２２と通信を行う。
【００３０】
方位センサ１８は電子コンパスによって形成され、地磁気を検知して方位を求める。これにより、ユーザが装着部１０を装着した際の頭部の向きを検出する。
【００３１】
図６は方向指示装置１の動作を示すフローチャートである。ステップＳ１ではユーザが情報端末装置２０の操作部２３により目的地を入力する。ステップＳ２では情報端末装置２０の位置検出部２５によりユーザの現在位置を取得する。
【００３２】
ステップＳ３では経路探索部２５により目的地までの経路を探索する。ステップＳ４では経路探索部２５により導出された経路情報が通信部２２から通信部１７に送信され、装着部１０が目的地までの経路情報を取得する。
【００３３】
ステップＳ５では方位センサ１８により、この時のユーザの頭部の向きが検知される。ステップＳ６では経路情報と方位センサ１８で検知したユーザの頭部の向きにより、ユーザの進行方向が決定される。
【００３４】
ステップＳ７では発光部１９の点灯パターンが決定し、ＬＥＤ１４ａが点灯する。図７は透明部材１５を介したユーザの視界を示し、図８は発光部１９の点灯後のユーザの視界を示している。図８では右折するように進行方向を案内した状態を示し、Ｌ字状に屈曲した照射パターンが透明部材１５上に形成される。この時、報知部２４によりユーザの進行方向を音声によって報知してもよい。
【００３５】
図９〜図１１は他の照射パターンにより右折を案内した場合である。例えば進行方向が道なり中距離程度を右折する場合には図９に示すように上下に長いＬ字状の照射パターンにより形成してもよい。また、進行方向が目前を右折する場合には図１０、図１１に示すように矢印形状の照射パターンを形成してもよい。
【００３６】
また、進行方向が右斜め前方の場合には図１２、図１３に示すように形成されてもよい。図１２では進行方向は斜め直線の照射パターンにより形成され、図１３では矢印形状の照射パターンにより形成される。
【００３７】
ステップＳ８ではユーザが進行して目的地に到着したか否か判断される。目的地に到着するとフローチャートを終了し、目的地に到着してない場合にはステップＳ９へ移行する。
【００３８】
ステップＳ９では所定時間経過したか否かが判断される。所定時間経過しているとステップＳ２へ移行し、再度、違う経路から目的地が検索される。所定時間経過してない場合にはステップＳ８へ移行する。
【００３９】
なお、方向指示装置１は装着部１０と情報端末装置２０とが一体に形成されていてもよい。これにより、方向指示装置１の利便性がより向上する。
【００４０】
本実施形態によると、ユーザの視界上に配した透明部材１５上に発光部１９により所定の照射パターンを照射してユーザの進行方向を案内したので、進行方向を容易に視認することができ、方向指示装置１の利便性を向上することができる。
【００４１】
また、発光部１３が複数のＬＥＤ１４ａから成り、ＬＥＤ１４ａの点灯によって透明部材１５上に複数のドットからなる照射パターンを形成したため、様々な種類の照射パターンを容易に形成することができる。
【００４２】
また、通信部１７と通信を行う通信部２２と、ユーザの現在位置を検出する位置検出部２５と、ユーザの目的地を入力する操作部２３と、経路情報を導出する経路探索部２６と、を有する情報端末装置２０を備え、通信部２２により経路情報を送信するため、情報端末装置２０がユーザにより入力される目的地までの経路を探索するナビゲーション機能を有し、ユーザを案内する進行方向を容易に導出することができる。
【００４３】
また、通信部２２を介して地図情報を取得するため、情報端末装置２０の記憶部２８の使用容量を低減することができる。
【００４４】
また、ユーザの進行方向を報知部２４の音声による報知により案内したため、方向指示装置１の利便性を向上できる。
【産業上の利用可能性】
【００４５】
本発明によると、ユーザの進行方向を案内する方向指示装置に利用することができる。
【符号の説明】
【００４６】
１      方向指示装置
１０    装着部
１１    フレーム
１２    前面部
１２ａ  鼻当て部
１３    上面部
１４    耳掛け部
１５    透明部材
１６    制御部
１７    通信部（第１通信部）
１８    方位センサ
１９    発光部
２０    情報端末装置
２１    表示部
２２    通信部（第２通信部）
２３    操作部
２４    報知部
２５    位置検出部
２６    経路探索部
２７    報知部
２８    記憶部
５０    データベース
【図１】
2013217817.tif 000003
【図２】
2013217817.tif 000004
【図３】
2013217817.tif 000005
【図４】
2013217817.tif 000006
【図５】
2013217817.tif 000007
【図６】
2013217817.tif 000008
【図７】
2013217817.tif 000009
【図８】
2013217817.tif 000010
【図９】
2013217817.tif 000011
【図１０】
2013217817.tif 000012
【図１１】
2013217817.tif 000013
【図１２】
2013217817.tif 000014
【図１３】
2013217817.tif 000015
【図１４】
2013217817.tif 000016